(57)【要約】有機物を分解する方法を提供し、有用な低分子有機物を提供する。有機物を分解する方法であって、分解対象となる有機物を用意する工程と、前記有機物に、有胞子好気性細菌の胞子形成に伴う細胞融解で生じる母細胞融解酵素群を適用する工程とを有するものであることを特徴とする。【特許請求の範囲】
【請求項１】
有機物を分解する方法であって、
分解対象となる有機物を用意する工程と、
前記有機物に、有胞子好気性細菌の胞子形成に伴う細胞融解で生じる母細胞融解酵素群を適用する工程と
を有するものであることを特徴とする、方法。
【請求項２】
請求項１記載の方法において、
前記有胞子好気性細菌は、内胞子を形成する複数の好気性細菌からなる混合菌群である
ことを特徴とする、方法。
【請求項３】
請求項２記載の方法において、
前記混合菌群は、ＭＲＥ共生菌群である
ことを特徴とする、方法。
【請求項４】
請求項１記載の方法であって、この方法は、さらに、
前記有機物に、前記有胞子好気性細菌の胞子形成によって生成された胞子を適用する工程を有し、
前記胞子は、発芽および再胞子化することにより、母細胞融解酵素群を生成するものである
ことを特徴とする、方法。
【請求項５】
請求項４記載の方法において、
前記分解対象の有機物は、前記母細胞融解酵素群および／若しくは胞子を含有する分解溶液に浸漬され、当該溶液をエアレーションすることによって分解されるものである
ことを特徴とする、方法。
【請求項６】
請求項５記載の方法において、
前記分解対象の有機物は、霊芝、アガリクス茸、冬虫夏草、白樺茸、魚鱗から成る群から選択されるものであり、
これらの分解生成物は、自然免疫活性組成物として使用するためのものである
ことを特徴とする、方法。
【請求項７】
請求項６記載の方法において、
前記分解対象の有機物は、魚鱗であり、
この魚鱗の分解生成物は、自然免疫活性美容液として使用するためのものである
ことを特徴とする、方法。
【請求項８】
請求項４記載の方法において、
前記分解対象の有機物は、６０℃〜８０℃の条件下において空気存在下で攪拌され、且つ前記母細胞融解酵素群および／若しくは胞子を含有する分解溶液が散布されることによって分解されるものである
ことを特徴とする、方法。
【請求項９】
請求項８記載の方法において、この方法は、さらに、
籾殻、大鋸屑からなる群から選択されるリグニン高含有物を流動床として適用する工程を有するものである
ことを特徴とする、方法。
【請求項１０】
請求項８記載の方法において、この方法は、
分解槽であって、この分解槽は、横軸の回転軸を有し、当該回転軸に攪拌板が固定された１若しくはそれ以上の腕が設置され、前記攪拌版が描く軌跡に沿って加熱版を形成するように構成されるものである、前記分解槽と、
前記加熱板を６０℃〜１６０℃で温度調整可能なヒーターと、
前記分解槽の上部に設置され、前記母細胞融解酵素群および／若しくは胞子を含有する分解溶液を散布するノズルと
を有する装置を用いて行われるものである
ことを特徴とする、方法。
【請求項１１】
請求項８記載の方法において、
前記分解対象の有機物は、おからであり、
このおからの分解生成物は、除草剤として使用するためのものである
ことを特徴とする、方法。
【請求項１２】
請求項８記載の方法において、
前記分解対象の有機物は、少なくともリグニンとセルロースを含む材料であり、
この材料の分解生成物は、エタノール原料として使用するためのものである
ことを特徴とする、方法。
【発明の詳細な説明】
【技術分野】
【０００１】
本発明は、微生物または微生物群によって分泌される母細胞を分解する酵素群を利用して有機物を分解する方法、特に内胞子を形成する複数の好気性細菌からなる有胞子好気性細菌を用いて有機物を分解する方法に関する。
【背景技術】
【０００２】
微生物による有機物の分解は、有史以前から乳酸菌、酵母菌、麹菌またはバチルス菌などを利用して食品を発酵するという手段で人類に広く利用されてきた。特に近年では特許文献１に記載されるように、バチルス菌を利用して汚水や生ごみ等を分解し、農業用のコンポスト（堆肥）を生成している。また、特許文献２に記載されるように、従来分解することができなかった、例えばカニやエビ等の殻あるいはセルロース等の有機物を好熱菌により分解する方法も開発されている。さらに、好熱菌や酵母菌またはバチルス菌に様々な機能の遺伝子を導入することによって新たな機能を有する微生物を創り出す応用研究も急速に進展している。【０００３】
ところで、これらの従来から利用されている有機物による分解方法は、菌がその必要とする栄養を消化吸収するため、菌の母体（栄養細胞）から分泌される「機能が限定された」単なる消化酵素を利用したものにすぎない。すなわち、これらの分解方法は、菌にとって日常生活を送るのに必要な消化用の分解酵素を利用するものであり、培養環境が飢餓状態または酸素不足に陥った場合の生存をかけたオートファジーと相同の細胞融解の際に利用される酵素群や、多細胞生物において個体を守るためのアポトーシス誘導の際に放出される強力で多様なバルク型分解酵素群を利用するものではない。また、これらの分解方法は菌体を利用するものであるため、菌の生活環境や培養環境が変動するとその分泌する酵素も変化し分解の際の安定性に欠けるという欠点があり、これらの菌の生活環境や培養環境を維持するためには様々な工夫が必要とされている。【０００４】
一方、酵素を利用した生ごみ処理機など、菌から分解酵素（消化酵素）を分離して利用しようとするものも開発されたが、これらも上記同様に、特定の有機物に対する栄養細胞から分泌された消化酵素の単独の機能を利用しようとするものである。例えば、特許文献３では酵素によるコラーゲンを分解する方法が開示されているが、これも単に消化酵素を利用するものである。現在では、このような試みは機能性遺伝子を導入することによって新規な酵素を得る方法に移行しており、特に医学分野に応用され、好熱菌の栄養細胞から分泌される単機能分解酵素を遺伝子導入する研究が盛んである。しかし、これもまた従来の消化性の分解酵素を利用するものにすぎない。【０００５】
また、菌群や菌の共生菌群に関する技術としては、特許文献４などがあるが、これらも単に栄養細胞から分泌された栄養の消化型分解酵素群を利用しようとするものにすぎない。
【先行技術文献】
【特許文献】
【０００６】
【特許文献１】特開平８−２２４５９３号公報
【特許文献２】特許第３１４６３０５号公報
【特許文献３】特開２００３−２８４５８６号公報
【特許文献４】特開平１０−２４５２９０号公報
【発明の概要】
【発明が解決しようとする課題】
【０００７】
本発明は、このような状況を鑑みてなされたものであり、現在まで利用されていなかった、内胞子（スポア）を形成する好気性細菌（原核微生物）の胞子化に伴う母細胞の細胞溶解に関わるバルク型の分解酵素群（母細胞融解酵素群）を利用して、有機物を分解する方法を提供することを目的とする。また、本発明は、この分解方法を利用して、有用な低分子有機物を提供することを目的とする。  
【課題を解決するための手段】
【０００８】
本発明者らは、好気性細菌であるＭＲＥ共生菌群の培養液とスポア形成後の溶液とを比較した結果、両者の有機物の分解力に顕著な違いがあることを発見し、さらに鋭意研究・実験を重ねた結果、本発明を完成するに至ったものである。【０００９】
従来、好気性バチルス菌や好熱性バチルス菌をはじめとする原核微生物の培養細胞（母細胞）が日常的に分泌する消化のための分解酵素（酸化還元酵素や転換酵素などを含む）を利用して、発酵により有機物を分解し応用してきた。しかし、この培養細胞による発酵は、最終的に菌の栄養を摂取することが目的のため、分解生成した有用な低分子有機物はことごとく培養細胞（母細胞）が消化吸収し、有用残存物はほとんど残ることはなかった。【００１０】
また一方で、内胞子（スポア）を形成する好気性細菌の培養液の栄養を断ち空気を遮断することにより内胞子形成が始まり、完成した内胞子（スポア）が沈殿し透明に澄んだ残存液体が何らかの作用を有する可能性があるなどということは、従来考えられることはなかった。なぜなら、発酵の母体である培養細胞（母細胞）は存在できず死に絶えるため、ジピコリン酸を多く含有する硬い殻に包まれた内胞子（スポア）が、有機物を分解し得るとは考え難かったためである。【００１１】
しかし、本発明者らは、形成された内胞子が沈殿した後の溶液を、０．２μｍのメンブレンと０．０２μｍのフィルターで濾過し、残存した極微量の培養細胞と残存浮遊する内胞子（スポア）とを除去し、その溶液をエアレーション（曝気）することにより、当該溶液が強力な分解力を有することを発見した。しかも、その分解力は、培養細胞による分解力よりも強力であることが判明した。【００１２】
したがって、本発明の第一の主要な観点によれば、有機物を分解する方法であって、分解対象となる有機物を用意する工程と、前記有機物に、有胞子好気性細菌の胞子形成に伴う細胞融解で生じる母細胞融解酵素群を適用する工程とを有するものであることを特徴とする、方法が提供される。【００１３】
このような構成によれば、有機物を効率的に分解する方法を提供することができる。また、本発明によれば、リグニン等を多く含有する分解が困難であった有機物についても容易に分解する方法を提供することができる。さらに、本発明は、難処理有機物や人体や環境に有害な有機物を分解することもできる。【００１４】
また、このような構成によれば、分解によって生成した分解生成物を除草剤や美容液等として利用することができる。【００１５】
また、本発明の一実施形態によれば、このような方法において、前記有胞子好気性細菌は、内胞子を形成する複数の好気性細菌からなる混合菌群である。この場合、前記混合菌群は、ＭＲＥ共生菌群であることが好ましい。【００１６】
また、本発明の別の実施形態によれば、このような方法において、さらに、前記有機物に、前記有胞子好気性細菌の胞子形成によって生成された胞子を適用する工程を有し、前記胞子は、発芽および再胞子化することにより、母細胞融解酵素群を生成するものであることを特徴とする、方法が提供される。【００１７】
この場合、前記分解対象の有機物は、前記母細胞融解酵素群および／若しくは胞子を含有する分解溶液に浸漬され、当該溶液をエアレーションすることによって分解されるものであることが好ましい。そして、前記分解対象の有機物は、霊芝、アガリクス茸、冬虫夏草、白樺茸、魚鱗から成る群から選択されるものであり、これらの分解生成物は、自然免疫活性組成物として使用するためのものであることが好ましい。特に、前記分解対象の有機物が魚鱗である場合、この魚鱗の分解生成物は、自然免疫活性美容液として使用することができる。【００１８】
また、本発明のさらに別の実施形態によれば、前記胞子を利用する方法において、前記分解対象の有機物は、６０℃〜８０℃の条件下において空気存在下で攪拌され、且つ前記母細胞融解酵素群および／若しくは胞子を含有する分解溶液が散布されることによって分解されるものである。この場合、この方法は、さらに、籾殻、大鋸屑からなる群から選択されるリグニン高含有物を流動床として適用する工程を有するものであることが好ましい。なお、上記温度は好ましくは６４℃〜６８℃である。【００１９】
また、本発明の他の実施形態によれば、このような方法において、この方法は、分解槽であって、この分解槽は、横軸の回転軸を有し、当該回転軸に攪拌板が固定された１若しくはそれ以上の腕が設置され、前記攪拌版が描く軌跡に沿って加熱版を形成するように構成されるものである、前記分解槽と、前記加熱板を６０℃〜１６０℃で温度調整可能なヒーターと、前記分解槽の上部に設置され、前記母細胞融解酵素群および／若しくは胞子を含有する分解溶液を散布するノズルとを有する装置を用いて行われるものである。【００２０】
さらに、本発明の別の実施形態によれば、このような方法において、前記分解対象の有機物は、おからであり、このおからの分解生成物は、除草剤として使用するためのものである。【００２１】
また、本発明のさらに他の実施形態によれば、このような方法において、前記分解対象の有機物は、竹・木材・間伐材・稲わら等の少なくともリグニンとセルロースを含む材料であり、この材料の分解生成物は、エタノール原料として使用するためのものである。【００２２】
なお、上記した以外の本発明の特徴及び顕著な作用・効果は、次の発明の実施形態の項及び図面を参照することで、当業者にとって明確となる。
【図面の簡単な説明】
【００２３】
【図１】図１は、本発明の一実施形態において、「鰯」を分解した際の分解比較を示すグラフである。
【図２】図２は、本発明の一実施形態において、「鰯」を分解した際の分解差分を示すグラフである。
【図３】図３は、本発明の一実施形態において、「豚肉」を分解した際の分解比較を示すグラフである。
【図４】図４は、本発明の一実施形態において、「豚肉」を分解した際の分解差分を示すグラフである。
【図５】図５は、本発明の一実施形態において、「アガリクス茸」を分解した際の分解比較を示すグラフである。
【図６】図６は、本発明の一実施形態において、「アガリクス茸」を分解した際の分解差分を示すグラフである。
【図７】本発明の一実施形態において、「アガリクス茸」を分解した分解生成物の分子量分布を示すグラフである。
【００２４】
図７は、
【図８】図８は、本発明の一実施形態において、「鯛の鱗」を分解した際の分解比較を示すグラフである。
【図９】図９は、本発明の一実施形態において、「鯛の鱗」を分解した際の分解差分を示すグラフである。
【図１０】図１０は、本発明の一実施形態において、「鯛の鱗」を分解した分解生成物の分子量分布を示すグラフである。
【発明を実施するための最良の形態】
【００２５】
上述したように、本発明によれば、内胞子（スポア）を形成する好気性細菌の胞子化に伴う母細胞の細胞溶解の際に放出される母細胞融解酵素群を利用して、有機物を分解する方法が提供される。そして、この好気性細菌は内胞子を形成するものであれば特に制限されるものではなく、好ましくはＭＲＥ共生菌群である。また、本発明に係る方法において使用される好気性細菌は、１又はそれ以上の好気性細菌からなる混合菌群であっても良い。【００２６】
ここで、前記ＭＲＥ共生菌群は、バシラスｓｐ．（Ｂａｃｉｌｌｕｓ  ｓｐ．）（ＦＥＲＭ  ＢＰ−１１２０９、識別番号ＭＫ−００５）、リシニバシラス  フシフォルミス（Ｌｙｓｉｎｉｂａｃｉｌｌｕｓ  ｆｕｓｉｆｏｒｍｉｓ）（ＦＥＲＭ  ＢＰ−１１２０６、識別番号ＭＫ−００１）、バシラス  ソノレンシス（Ｂａｃｉｌｌｕｓ  ｓｏｎｏｒｅｎｓｉｓ）（識別番号ＭＫ−００４）、リシニバシラスｓｐ．（Ｌｙｓｉｎｉｂａｃｉｌｌｕｓ  ｓｐ．）（ＦＥＲＭ  ＢＰ−１１２０７、識別番号ＭＫ−００２）、及びコマモナスｓｐ．（Ｃｏｍａｍｏｎａｓ  ｓｐ．）（ＦＥＲＭ  ＢＰ−１１２０８、識別番号ＭＫ−００３）から成るものであり、いずれも好気性の細菌類である。【００２７】
本発明に係る方法では、形成された内胞子が沈殿した後の溶液を、０．２μｍのメンブレンと０．０２μｍのフィルターで濾過することにより、残存した極微量の培養細胞と残存浮遊する内胞子（スポア）とを除去し、その溶液をエアレーション（曝気）することによって得られた溶液が有機物を効率的に分解することを利用している。本発明者らは、この溶液が強力な分解力を有することを発見し、本発明を成し得たものである。【００２８】
さらに詳しく説明すると、上述の内胞子を形成する好気性細菌の集まりであるＭＲＥ共生菌群（ＭＫ−００１、ＭＫ−００２、ＭＫ００３、ＭＫ−００４、ＭＫ−００５）の培養液１ｍ３を同一形状の１．２ｍ３の２つの培養曝容器に入れ、溶存酸素濃度０．５ｍｇ／Ｌ〜１．２ｍｇ／Ｌになるようにエアレーション（曝気）を行う。その一つを培養細胞槽、他の一つをスポア化槽と名付けた。培養細胞槽には、魚粉５００ｇ、米ぬか５００ｇ、油カス２５０ｇ、肉汁５０ｇを最小限の栄養物として与え培養ＰＨ６．０〜６．８および培養温度２５℃〜３５℃の培養条件下でエアレーションを加え培養を続行した。一方、スポア化槽では一切の栄養を絶って飢餓状態下に置き、さらに２５℃〜３５℃の条件下でエアレーションを加え続けると窒素成分の枯渇をトリガーに内胞子化が始まる。培養液の透明度が増すのを待ってエアレーション（酸素供給）を止めると、内胞子は一斉に沈殿を始め透明な溶液になる。この溶液を０．２μｍのメンブレンで濾過し、さらに０．０２μｍのフィルターにかけたものを、再度良く洗浄したスポア化槽に入れて、分解力実験の準備を整えた。ここで、ＭＲＥ菌をスポア化した液からフィルターによって残存母細胞とスポアを除去したものをＭＲＥ濾過液と呼ぶことにする。従って、ＭＲＥ濾過液には菌もスポアもほとんどない状態といえ、当該ＭＲＥ濾過液には母細胞融解酵素群が存在する。本発明は、この母細胞融解酵素群の有機物分解力を利用するものである。なお、本明細書において、「ＭＲＥ濾過液」、「スポア化後の溶液」、「スポア化後の菌の存在しない溶液」等の表現を使用することがあるが、特に言及する場合を除き、いずれも母細胞融解酵素群を有する溶液を指すものとする。【００２９】
本願発明において、上述の溶液に適用するメンブレン及びフィルターの大きさは特に制限されるものではない。例えば、メンブレンは１μｍ、０．７μｍ、０．５μｍ、０．３μｍであっても良く、好ましくは０．２μｍである。また、フィルターは、０．１５μｍ、０．１μｍ、０．０７μｍ、０．０５μｍ、０．０３μｍであっても良く、好ましくは０．０２μｍである。【００３０】
また、本願発明においては、上述の２つの培養細胞槽とスポア化槽を使用して、両方とも溶存酸素濃度０．５ｍｇ／Ｌ〜１．２ｍｇ／Ｌになるようにエアレーション（曝気）を行いつつ、以下の実験を行っている。【００３１】
「鰯」、「豚肉」、「アガリスク茸」の３つの材料について、可能な限り同一に近い重さで同一に近い部分と形状のものを２組ずつ用意し、培養細胞槽とスポア化槽に同じ重さの目の細かいネットで液中に浸漬させ、一定の時間ごとに同時に取り出して厚手の紙性のキッチンタオルを使って同一条件で水分を除去した上でその重量を測定し、それぞれの分解力を調べ比較した。【００３２】
「鰯」の分解の結果は以下の通りである。【００３３】
【表１】
2011096567.tif 000002
【００３４】
図１にその分解比較グラフ、図２に分解差分グラフを示した。「鰯」の分解比較では、常識に反して、ＭＲＥ濾過液で分解可能であることが示されたばかりか、菌が繁殖している培養液よりも残存菌やスポアがほとんど０に近いＭＲＥ濾過液の方が著しい分解能力を示す結果となった。４日の時点で通常の培養液槽では２０．５％の鰯が分解されずに残っているのに対して、菌もスポアもほとんどない透明なＭＲＥ濾過液で骨まで含めて完全に「鰯」が分解されているという驚くべき結果となった。【００３５】
また、「豚肉」分解の結果は以下の通りである。【００３６】
【表２】
2011096567.tif 000003
【００３７】
図３にその分解比較グラフ、図４に分解差分グラフを示した。「豚肉」でも「鰯」と同じ結果が得られた。５日後には、培養液槽では残存分解物は１９．８％であったのに対し、ＭＲＥ濾過液では完全に分解された結果となった。【００３８】
豚肉についてさらに詳細な培養液とＭＲＥ濾過液の分解力測定したのが次の表である。【００３９】
【表３】
2011096567.tif 000004
【００４０】
これを％表示で比較可能にすると、以下の表の通りになる。【００４１】
【表４】
2011096567.tif 000005
【００４２】
また、分解力の差分は、以下の通りである。【００４３】
【表５】
2011096567.tif 000006
【００４４】
培養菌による分解力とスポア化後の菌の存在しない溶液とでは、その分解力の差は明らかに違うことがわかる。【００４５】
また、「アガリクス茸」分解の結果は、以下の通りである。【００４６】
【表６】
2011096567.tif 000007
【００４７】
図５にその分解比較グラフ、図６に分解差分グラフを示した。また、アガリスク茸分解物をＨＰＬＣによって分析した分子量分布グラフを図７に示す。【００４８】
アガリクス茸は、真菌であり、菌によって分解されにくいグリカン層やキチン層を持っている。このため、分解過程が進行してもある程度の低分子化が進行しないと茸体が崩れない性質を持っている。このためアガリクス茸は、培養液槽でもスポア槽でも分解スピードは遅い。アガリクスの場合でも、菌やスポアがほとんどないＭＲＥ濾過液で実際に分解が起こることが確認されたばかりか、ＭＲＥ濾過液の方がより分解力が強力であることが示された。【００４９】
「鯛の鱗」分解の結果は、以下の通りである。【００５０】
【表７】
2011096567.tif 000008
【００５１】
図８にその分解比較グラフ、図９に分解差分グラフを示した。また、鯛の鱗の分解物をＨＰＬＣによって分析した分子量分布グラフを図１０に示す。【００５２】
コラーゲン組織とアパタイトが結合しているより強固な組織を持つ「鯛の鱗」では、両者の分解スピードは遅くなることになる。しかし、ここでもＭＲＥ濾過液は培養液よりも強力な分解能力をもつことが示された。１０日目に分解差が最小になってその後増大し２２日目が最大となっているのは、ごく少数の胞子（スポア）がフィルターを潜り抜け、鯛のコラーゲンの分解物を栄養に発芽し、再スポア化することで再び母細胞融解酵素群を供給したことで分解力が増強し、分解力の差が拡大したと思われる。【００５３】
このような一連の実験によって、本発明者らは内胞子を形成する好気性細菌がスポア化した残存液に強力な有機物分解能力があることを発見した。また、エアレーションによりその分解力がさらに増強する事実も初めて見出された。よって、本発明において、有胞子好気性細菌の胞子形成によって生成された胞子は、発芽および再胞子化（スポア化）することによって母細胞融解酵素群を生成することがわかる。なお、本明細書において、「発芽」とは、菌類等の胞子が休眠状態又は仮死状態等の不活発な状態から活動を始めることを指す。【００５４】
スポア化後の溶液を利用した分解方法には、さらに大きな利点がある。分解によって生成されたオリゴペプチドやオリゴ糖鎖のような低分子物質が培養液中のように菌に吸収されずに有益物として残存するという性質である。この性質を利用して様々な有用物を作り出すことができる。【００５５】
ここで、スポア化過程で生じる母体融解をする特殊な酵素群について述べることとする。なぜなら、そこに培養液とＭＲＥ濾過液の分解力の差の秘密が隠されていると考えるからである。【００５６】
内胞子形成のプロセスを好気性グラム陽性菌の例をみると、窒素不足などをトリガーにシグマ因子が働き出し、スポア化のプロセスが進行する。２〜３時間経過すると、窒素や栄養を与えても栄養細胞に戻ることができない。遺伝子発現レベルで日常生活を送る栄養細胞の状態からスポア化という危機管理の状態へ切替が行われたことを意味する。なぜなら、スポアは幾重もの丈夫な堅い殻に包まれて、乾燥・高温（１２０℃〜１６０℃）・高圧・真空・ＰＨ変動や放射線など過酷な状況にも耐えるようになっているからである。窒素不足などにより栄養細胞の成長サイクルが鈍化し、ある限界を越えると（例えば、Ｂ．ｍｅｇａｔｅｒｉｕｍの場合は２時間に１回の分裂）栄養細胞を保つことは不可能になりスポア化が盛んに行われるようになる。【００５７】
スポア化の第１段階は遺伝子群（Ｓｐｏ０、Ｓｐｏ０ａ、Ｓｐｏ０ｂ、Ｓｐｏ０ｃなど）が働き、核が凝集して軸策状になる。第２段階は遺伝子群（ＳｐｏＩ）が働き、胞子と母細胞を分離する隔膜が形成されプレスポアとなる。第３〜４段階は遺伝子群（ＳｐｏＩＩ、ＳｐｏＩＩＩ）が働き、ペプチドグリカンなどを主成分とする皮層（Ｃｏｒｔｅｘ：細胞壁と同じ構造）で胞子形成部分が包込まれ、胞子前駆体（フォアスポア）が形成される。この段階で栄養細胞に戻れない不可逆性をもつことになる。注目すべきことに、この４つの段階を通して、分子量１，４００ダルトン近辺のペプチド性の抗菌物質を分泌している。つぎの第５〜６段階では遺伝子群（ＳｐｏＩＶ、ＳｐｏＶ）が働き、Ｃａイオンの大量の取り込みとＣａをキレートする多量のジピコリン酸が合成され、高度な脱水状態にある非常に強固なスポアコート（Ｓｐｏｒｅ  Ｃｏａｔ）が皮層の上に形成される。スポアコートは熱や放射線・紫外線からの損傷に強く、酵素や化学物質からスポアを効果的に保護する働きをする。また、高圧や真空化でもスポアは生き延びることができる。そして、スポアコートは、複屈折という特殊な光学特性を持ち位相差顕微鏡で識別できるという特性をもっている。最後の第７段階で、スポア（内胞子）の放出と母細胞融解が起こりスポアは完成する。【００５８】
この母細胞融解のときに産生されるバルク型分解の酵素群が、栄養細胞の培養液とスポア化後のＭＲＥ濾過液などとの分解力の差を生じるものと思われる。なぜなら、培養液の栄養細胞が日常生活で分泌する栄養物を消化吸収のための酵素群と生命の危機に直面して分泌する母細胞融解酵素群とは本質的に異なる酵素群だからである。日常生活で自己の細胞を融解する酵素を分泌することは決してありえないことを考えてもその違いは明らかである。母細胞融解酵素群は、動物などのリソゾーム酵素群や植物のプロセッシング酵素群、そして果物などが熟するときに産生するパパインなどの酵素群や動物の精子形成過程で出現する特殊な酵素と相同であり、母細胞融解酵素群が分子進化したものであると考えられている。植物のプロセッシング酵素群は、植物細胞の液包で働く酵素である。【００５９】
ここで、オートファジー（老朽化細胞内器官のバルク型分解）で働くリソゾーム酵素群やアポトーシス（プログラム自然死）のプロセスで機能する分解酵素群は、植物の液胞で働くプロセッシング酵素群とともに、本発明が利用するスポア化（内胞子化）のプロセスで放出される母細胞融解酵素群を祖先として分子進化したものと考えられている。これらの母細胞融解酵素群は、日常の生命活動ではなく、生命の危機に直面するとき、または生体防御・細胞内解毒を行うときに出現する分解酵素であることが知られている。このことは医学上重要な意味を持つ。【００６０】
リソゾーム酵素群については、その種類は５０種類を越えるといわれ、特定の分解酵素（リソゾーム型分解酵素）の遺伝子が欠損すると重篤な遺伝子病を発生させ、また老朽化した細胞ではオートファジーやアポトーシスが働かなくなることが知られている。同様に、リソゾーム酵素が細胞から漏れ出したりすると様々な疾病を引き起こすことも知られている。そのため、ヒト型のリソゾーム酵素やそのインヒビターは種々の疾患の診断用マーカーとして利用され、また特定の疾患において、特定の物質を標的としてこれらの分解酵素が利用されるようになっている。例えば、ムコ多糖症の治療の際には、ヒト型ムコ多糖分解酵素をリン酸化して治療に使用している。【００６１】
リソゾーム酵素群は、細胞内の老廃器官や老廃物を分解するオートファジー、癌などの変性細胞を自殺させるアポトーシス、そして細胞内に侵入した菌やウイルスを分解する酵素として働くことが知られている。また、一般の消化酵素や代謝酵素のように一つの働きをするのではなく、老廃器官や細胞自体を５０種類以上の酵素群が協力して一括して分解するというバルク型の分解酵素となっている。その性質は、消化分解酵素と異なり、弱酸性領域および消化酵素より高い温度で活性が高まる性質があり、酵素によっては消化酵素の５０００倍〜１万倍の分解力をもつものもあると言われている。【００６２】
リソゾーム酵素群として知られているものには、核酸分解酵素であるリボヌクレアーゼ・デオキシリボヌクレアーゼなど、およびコラーゲン分解酵素であるカテプシンＬ、アスパラギン酸プロテアーゼであるカテプシンＤとカテプシンＥ、システインプロテアーゼであるカテプシンＫとカテプシンＢとカテプシンＳ、セリンプロテアーゼであるカテプシンＧ、アミノペプチターゼであるカテプシンＨなどの強力で多機能な能力をもつ蛋白質分解酵素、さらにアリールスルファターゼ・βグルクロシダーゼ・エステラーゼ・酸性フォスファターゼなどに加え、糖鎖分解酵素では、スフィンゴ脂質を分解するαガラクトシターゼ・βヘキソサミニダーゼＡおよびＢ・アリルスルファダーゼＡ・ガラクトシトルセラミダーゼ・グルコシルセラミダーゼ・酸性スフィンゴミエリナーゼ・酸性セラミダーゼなど、糖蛋白を分解するαフコシダーゼ・αおよびβマンノシダーゼ・ノイラミニダーゼ・アスパルチルグルコサミニダーゼ・α−Ｎ−アセチルガラクトサミニダーゼなど、ムコ多糖類を分解するαイズロニダーゼ・イズロネート−スルファダーゼ・ヘパランＮスルファターゼ・α−Ｎ−アセチルグルコサミニダーゼ・６スルファターゼ・ガラクトース６−スルファターゼ・βガラクトシターゼ・アリルスルファダーゼＢ・βグルクロニダーゼなど、および、酸性リパーゼのようなコレステリルエステルや脂肪分解の酵素、さらに、重要なものに病原性の原核微生物などの細胞壁を形成するペプチドグリカン層を分解するムラミターゼ・ムコペプチドヒドロラーゼ・アシルアミドヒドラーゼ（アミダーゼ）などを含む分解酵素が存在することが解明されつつある。また、酸化還元酵素群も重要な働きをすることも示唆されている。【００６３】
このように、本発明で利用される内胞子を形成する好気性のグラム陽性菌やグラム陰性菌の母細胞融解酵素群は、生命を防御し老化を阻止する働きをもつリソゾーム酵素や植物の液包プロセッシング酵素などと相同な酵素であり、これらの分子的祖先であると考えられる。【００６４】
これらの酵素群は、生活維持のために栄養細胞が分泌する消化を目的とした酵素群とはまったく異なった性質もっている。これらの酵素群は、飢餓環境状態で生存を目的として放出される汎用な性質を持つバルク型分解酵素であるので細胞のすべての器官や内容物を分解できる強力な分解能力を持っている。この生存維持機能は、原核生物の細胞融解からヒトの飢餓環境で発生するオートファジーやアポトーシスに至るまで同じ原理で貫かれている。【００６５】
これらの酵素群の相違の一例として、コラーゲンの分解酵素で見てみると、通常の蛋白分解酵素であるプロテアーゼはコラーゲンを分解できないので、生物の日常生活範囲内で栄養摂取の目的でコラーゲンを分解するのはコラーゲナーゼ（ＭＭＰ１）が担当することになる。ところがこのコラーゲナーゼ（ＭＭＰ１）は、繊維状のコラーゲンＩ型・ＩＩ型・ＩＩＩ型は分解できるが、膜状のコラーゲンＩＶ型や繊維調整型のコラーゲンＶは分解できない。コラーゲンＩＶ型は、低分子の通過を許し蛋白の通過を阻止しかつ通常のコラーゲンでは分解できないという酵素の進入を阻止するコラーゲンで生存維持型のコラーゲンである。ところが、真核生物以上のリソゾームや原核生物のリソゾーム相同液胞のバルク酵素群には、カプテシンＬまたはそれと類似のコラーゲン分解酵素（ＭＭＰ２やＭＭＰ３）は、この膜状のコラーゲンＩＶ型を分解できる。特にカプテシンＬは、Ｉ型からＶ型まで分解できる正にバルク型の酵素（汎用酵素）である。この生存に関わるバルク型酵素群を利用しようというのが本発明の大きな特徴であり、解決手段の一つの柱となっている。【００６６】
ここで、コラーゲンＩ型とは、細胞外マトリックス形成コラーゲンであって、骨・象牙質・セメント質ならびに皮膚・腱・筋膜・血管を構成している。コラーゲンＩＩ型は柔軟性を持ちプロテオグリカンと共に軟骨を構成している。ＩＩＩ型コラーゲンは胎児の組織や動脈壁で重要な役割をしている。一方、膜状のＩＶ型コラーゲンは基底膜を形成して細胞や組織を守る役割をしている。また、Ｖ型コラーゲンは、細胞表層のマトリックスを補強してこれも通常のＭＭＰ１などから細胞を守る役割を担っている羊膜や胎盤に多いコラーゲンである。【００６７】
本発明の有機物の分解方法では、ＩＶ型やＶ型コラーゲンを分解できるため、今までの栄養細胞が分泌する分解酵素では分解できないものが分解できる。【００６８】
さらに、これらスポア形成細胞融解に伴って放出される母細胞融解酵素群（特にＭＲＥ共生菌由来のもの）は、Ｉ型コラーゲンとアパタイト（燐酸カルシウムの一種）がナノレベルで織り成す骨組織や鱗を分解する能力が強化され、骨や巨大鱗などが直接丸のまま分解できるという驚異的な分解力を持っている。【００６９】
パパインと同じシステインプロテアーゼであるバルク型のカテプシンＫは、バルク型のコラーゲン分解酵素のカテプシンＬ、細胞マトリックスを分解できるシステインプロテアーゼに属するカテプシンＢと共に骨や鱗などを分解する能力をもっている。システインプロテアーゼのカテプシンＢはまたジペプチジルカルボキシペプチターゼの働きをするバルク分解酵素でもある。アスパラギン酸プロテアーゼのカテプシンＥは、アトピー性皮膚炎に関係する医学上重要な分解酵素でもある。したがって、パハイン・スーパーファミリーのカテプシン酵素はカテプシンＫとほとんど類似なので本発明の酵素群による骨や鱗などの分解の強力な補助手段となる。【００７０】
本発明は、このようなマクロオートファジー相同またはリソソーム相同の母細胞融解の際に放出されるバルク型酵素群を有機物分解に利用するものである。これらの酵素群は、バチルス菌などの栄養細胞による従来の発酵分解物プロセスでは利用されず、また、好気性バチルス菌による汚水処理や生ごみ処理プロセスでも分解した後の不要な処理液として捨てられてきたものである。母細胞融解酵素については今までまったく省みられることはなかった。好熱菌についても栄養細胞から分泌される耐熱酵素の研究が中心であって、このオートファジー相同またはリソソーム相同の母細胞融解の酵素は省みられることはなかった。【００７１】
本発明の第一の特徴は、この菌群がアミノ酸を含む窒素源などの栄養が枯渇して飢餓状態に陥ったときに、内包子を形成する好気性細菌の一連の胞子化遺伝子群が起動し、その最終段階で母細胞のオートファジー相同の母細胞融解が発生し、そのとき放出される強力なバルク型分解の母細胞融解酵素群を有機物分解に利用することにある。【００７２】
本発明の第二の特徴は、内包子を形成する好気性細菌である好気性グラム陽性菌・グラム陰性菌または好熱性バチルス菌など異なる多様な分解酵素を持つ菌群を共生させることで、酵素整合性を持つ安定した多様な酵素群を得てそれを有機物分解に利用することにある。【００７３】
第三の特徴は、スポア形成後の溶液にエアレーションを使用するということである。これは、エアレーションにより母細胞融解酵素群の分解力が飛躍的に増大するという発見に基づく手段であり、その原理は効率的なかき混ぜ効果とともに母細胞融解酵素群のなかの酸化還元酵素が有効に働くためと考えられている。【００７４】
さらに、本発明の方法を発展させて効果を高める方法として次の手段がある。
（Ａ）母細胞融解酵素群にパパイン（カテプシンＫ相同酵素）などのリソゾーム酵素と相同な酵素を加えた酵素群で有機物を分解する方法
（Ｂ）母細胞融解酵素群と形成されたスポアを混在させて使用する方法（ダブルスポア法）
前者（Ａ）の方法はただ単に酵素の加算的利用に過ぎないが、後者（Ｂ）の方法は通常の発酵では分解しにくい有機物を分解する方法として優れた方法である。なぜなら、後述するように、高温・高酸素濃度・貧栄養状態という条件下でスポアは発芽と再胞子化を繰り返すため、複数回に渡る再胞子化によって母細胞融解酵素群を新たに放出して補給することになるからである。この場合一定の条件下で最終的にスポアも母細胞も消滅させることができることも新たに見出すことができた。【００７５】
ここで、さらに有効なダブルスポア法を含めて、ＭＲＥ濾過液を含めて母細胞融解酵素群にスポアが加わった有機物分解能力のある混合液を総称して「ＭＲＥ分解液」と呼ぶことにする。【００７６】
したがって、本発明の有機物分解の具体的な方法には、
（１）内包子を形成する好気性細菌である好気性有胞子グラム陽性菌・好気性有胞子グラム陰性菌または好熱性バチルス菌などの混合培養液の栄養物を絶ってエアレーションを続行、胞子（スポア）沈殿による透明化を待ってその上澄み液をろ過し分解に使う方法
（２）内包子を形成する好気性細菌である好気性グラム陽性菌・グラム陰性菌または好熱性バチルス菌などの混合培養液の栄養補給を絶ってそのままエアレーションを続け、栄養物のかわりに分解対象物を入れて分解をさせる直接的な方法
（３）上記（１）または（２）の方法で得られた母細胞融解酵素群に（１）または（２）の方法で沈殿した胞子（スポア）を再投入して母細胞融解酵素群と胞子（スポア）の混合体として利用する方法（ダブルスポア分解法）
の３通りが考えられる。【００７７】
本発明では、どの方法も有益な方法であるが、（１）の方法は菌の介在なしに純粋に有用な酵素群を使うため再度スポアが残らないので、残渣が極めて少ない分解物を得られるという利点があり、管理・保存・運搬・使用法が簡単で安全性も高い。（２）の方法は実際には栄養細胞から分泌する消化酵素群のほうが分解に有利であるケースに限られ実際には分解効果が減弱し分解物も減少するという理由もあり有利ではない。【００７８】
（３）の方法は、母細胞融解酵素群を６０℃〜７０℃という高温領域で使用することにより威力を発揮する。特に、常に酸素が流入する空気中の環境において母細胞融解酵素群と胞子（スポア）の混合液を噴霧した分解対象の有機物質を８０℃以下の放熱板で加熱しつつ攪拌しながら分解するのに適している。空気が流入する水溶液のない環境でのＭＲＥ分解液を利用した分解方法（ＭＲＥ乾式分解方法と呼ぶ）では、高熱領域での酵素の振舞いには分子シャペロンの影響も考慮に入れる必要がある。なぜなら、本発明者は好熱菌でないＭＲＥ共生菌群などの菌群の母細胞融解酵素やスポアによっても６０℃〜７０℃という高温領域で高い分解性が維持されるという驚くべき事実を発見したからである。ただし、母細胞（栄養細胞）自身は、この温度で長時間生存することはできない。【００７９】
耐熱性を酵素に与えるＩＩ型の分子シャペロンや分子シャペロンをサポートするプレフォールディグそしてｓＨＳＰ（ショート・ヒートショック・プロテイン）などのサポート型の蛋白質が様々な分解能力を持つ酵素群を高温領域で保護する性質をもっていることが知られている。高温領域ではスポアは熱ショックによって容易に発芽する。スポア化のトリガーとなるシグマ因子の遺伝子と熱ショックで放出されるＨＰＳのトリガー遺伝子は同類のシグマ遺伝子なので、高熱領域（６０℃〜８０℃）ではスポア化による母細胞融解酵素群は分子シャペロンであるＨＰＳに守られることになる。ＨＰＳなどの分子シャペロンは、親油基を酵素の外側に出さない働きをして酵素が変性凝縮するのを防ぐ。酵素の反応其は内部の親水基側にあるので内部温度は低く酵素反応の能力を維持することになる。高温状態で、菌が提供するＡＴＰまたは熱運動のエネルギー供給によって、保護された分解酵素が分子シャペロンの内空で活性状態に戻るほか、分解対象物が多孔性である場合、より低温の多孔性中空内の酵素が分解能力を発揮することにより、好熱細菌のように分解力を保持することができる。【００８０】
分解対象物に栄養となる有機物が豊富ならば、発芽した栄養細胞の消化酵素群と母細胞融解酵素群は相乗効果を発揮して迅速に有機物を分解する。このプロセスでは従来残渣となった骨なども容易に分解することができる。一方、分解対象物が貧栄養物質や分解の難しい繊維質状のものであれば、発芽し栄養細胞となった菌体は再びスポア化して母細胞融解酵素群を放出供給することになり、分解力がさらに増強される。この再スポア化のプロセスを何回も繰り返すことにより強力な分解力を得ることができる。溶液内の現象ではあるが、培養液とスポア化後の溶液との分解力の比較実験で、「アガリクス茸」および「鯛の鱗」の分解力のピークが時間軸の後方にずれたのは、極微量の残存スポアが存在し、それが再スポアのプロセスによって補細胞融解酵素を補強し分解力を増強していったものと考えられる。【００８１】
さて、本発明で利用される好気性グラム陽性菌およびグラム陰性菌の双方または一方を含む共生菌体の培養方法とスポア化後の母細胞融解酵素群を含む溶液を得る具体的方法を述べることとする。最初に、好気性のグラム陽性菌またはグラム陰性菌などの単独または混合菌群の培養液は、培養ＰＨ６．０〜６．８、培養温度２５℃〜３０℃で、かつエアレーションにより溶存酸素濃度０．１ｍｇ／Ｌ〜１．０ｍｇ／Ｌの培養条件下で液体培養する。菌の栄養物としては、魚粉・米ぬか・油カス・肉汁および硫酸マグネシュウムやシリカなどを含むミネラルを与える。混合菌群の場合は、菌相互の安定な共生関係を構築するのを待つ。【００８２】
菌培養が安定化したら、その栄養細胞状態にある菌群を別の曝気培養槽に分別し培養を続ける。つぎに分別した曝気培養槽でエアレーション（曝気）を続行しつつ、シリカを除く一切の栄養を絶ち飢餓状態下に置く。残存栄養物がなくなる頃、窒素成分の枯渇をトリガーにスポア化（内胞子化）が起こり、液が透明化してゆく。スポア化が完了したことを確認した上で、エアーレーション（酸素供給）を止め暫く静置すると暫くしてスポア（内胞子）は一斉に沈殿を始め透明な上澄み液を得る。こうして得られた上澄み液をメンブレンで濾過し、ＭＲＥ分解液を得る。分解力テストに使用するには、さらに０．０２μｍのフィルターで濾過する。さらに具体的な説明は実施例１に示す。【００８３】
こうして得たＭＲＥ分解液は、次の２つの方法により有機物分解に利用される。具体的には、その一つは、曝気槽による有機物分解装置を利用した方法であり、他の一つは乾式有機物分解装置を利用した方法である。【００８４】
Ａ）得られたＭＲＥ分解液を専用の曝気培養槽に分別し、分解対象物の有機材料を投入してエアレーションを加え有機物の分解を行う。この場合のエアレーションは攪拌と酸化還元酵素に対する酸素補給の役目をするものである（実施例２を参照）。これに使用される装置は、公知の好気性微生物を培養する曝気槽で十分である。ＭＲＥ分解液を使用した有機物分解曝気槽を以下「ＭＲＥ曝気槽」と呼ぶことにする。【００８５】
Ｂ）分解容器に分解対象の有機物を投入し、６０℃〜８５℃、好ましくは６４℃〜６８℃になるように加熱しつつ攪拌する。さらに、得られたＭＲＥ分解液をその有機材料に散布し、攪拌と加熱を継続、有機物の分解を行う。ＭＲＥ分解液にＭＲＥ分解液を製造する過程で得られたスポアを少量ＭＲＥ分解液に加えてもよい。含水率が５％〜３％のサラサラの超乾燥状態で分解を終了する。ＭＲＥ分解液を使用するこのような装置を以下「加熱撹拌乾式分解装置」と呼ぶことにし、その具体例を実施例３に示すこととする。【００８６】
また、上記Ｂ）については、スポア（内胞子）が母細胞融解酵素に混入されることにより、高温貧栄養環境で発芽とスポア化を繰り返すことにより、その都度、新たな母細胞融解酵素群の供給がされ、分解力を高めていくと考えられる（分解物全体の温度や栄養状態が不均一になるためと攪拌によって再スポア化は１回でなく繰り返されることになる）。そして、最終段階では自らの作用による超乾燥化しスポア化も不可能になり菌がいなくなる状態となる。この最終産物を水に浸して菌培養すると、分解に使われた菌群は消滅していて、分解対象有機材料内部に存在していた例えばコアグランスのような嫌気性菌がかろうじて生き延びているのみであることがわかる。【００８７】
ここで、本発明に係る方法を実施することができる装置について説明する。本発明に係る方法は上述の加熱撹拌乾式分解装置を用いて実施することができるが、本発明に係る方法を実施するための装置は、加熱撹拌乾式分解装置に限定されるものではない。なお、加熱撹拌乾式分解装置の一例としては以下のようなものが挙げられる。まず６０Ｌの分解槽に、横軸の回転軸を設置し、その回転軸には２枚の攪拌板をペアで固定した４本の腕を配置し、被分解有機物をまんべんなく攪拌できるように攪拌板の傾きを調整する。さらに回転軸に固定した攪拌版が描く軌跡に沿って加熱版を形成し、加熱板に６０℃〜１６０℃で温度調整可能なヒーターを設置する。加熱板には被分解有機物の内部温度を測定するための１若しくは複数の温度センサーを攪拌板が接触しないように配置する。【００８８】
回転軸は、モーター連結した減速装置を通じて毎分２〜５回転（好ましくは４回転）するよう調整する。また、分解槽の上部に充分な空間を確保して、その上面に被分解有機物を投入する投入口を設ける。その上部の空間にＭＲＥ分解液を均等に散布する噴霧ノズルを設置する。さらに、エアーポンプによって空気を分化槽の上部から下方に壁に沿って吹き付ける噴射ノズルと排気管を設けて、必要に応じて排気管を脱臭装置に接続する。【００８９】
このように構成された加熱撹拌乾式分解装置の加熱板を被分解有機物が適正温度（６４℃〜６８℃）になるように加熱し、攪拌板を毎分３〜４回転させながら分解対象の有機物を投入する。さらに、被分解有機物が適正温度になった段階でＭＲＥ分解原液を５０倍に薄めたものを適正量（この場合約１リットル）噴霧ノズルから散布し分解工程を開始する。【００９０】
なお、水分湧出が多い被分解有機物をこの装置で分解するときは、流動床を投入する。本発明において、流動床として使用できるものは特に限定されるものではないが、この装置での分解速度が遅い「もみ殻」「竹分解物」「大鋸屑」等のリグニンの多い材料を用いることもできる。【００９１】
また、この加熱撹拌乾式分解装置によって分解されたすべての分解物は特筆すべき特徴を有する。菌などによる消化酵素による有機物分解と異なって、主にリソゾーム相同酵素を使った有機物分解装置である本発明の加熱撹拌乾式分解装置では、その分解物は次の２つの性質を持つ。【００９２】
第一に、「超乾燥状態になる」という性質があることで、しかもそれが１年以上も持続するという特徴を持つことは特筆すべきことである。他の原理による分解物と違って、加熱撹拌乾式分解装置による分解物は通常３％〜５％の含水率の超乾燥状態になる。水分量の多い当該分解物でも８％を越えることはなかった。しかも、この分解物は水に濡らすと濡れるにもかかわらず、通常の密閉されていない倉庫などで放置しても１年以上も超乾燥状態を保つという驚くべき性質を持つことが明らかになった。【００９３】
第二には、「腐らない」という性質があることである。第一の性質からくるものとも考えられるが、加熱撹拌乾式分解装置による分解物はまったくカビが生えず、他の細菌による腐敗も乳酸菌による発酵も起こらないという特徴があり、分解物の臭いは残存しているものでもハエが集らないという性質があり、他の原理による分解物と異なっている。【００９４】
ここで、本発明で使用可能な菌に言及すると、内胞子（スポア）を形成する好気性グラム陽性菌、好気性グラム陰性菌、および好気性好熱性菌の３種類になる。好ましくは非病原性菌を使用する。【００９５】
好気性グラム陽性菌では、Baccilus属、Sporelactobacillus属、Paenibacillus属、Aneurinibacillus属、また、高度耐塩好アルカリ性のOceanobacillus属などがあり、詳しくはBacillus alcel、Bacillus cirulans、Bacillus licheniformis、Bacillus megaterium、Bacillus pumilus、Bacillus subtillis、Bacillus thuringiensis、Bacillus lentimorbus、Bacillus alvei、Bacillus macerans、Bacillus polymyxa、Bacillus popilliae、Bacillus coagulans、Bacillus stearothermophilus、Bacillus thermoruber、Bacillus acidocaldarius、Bacillus acidoterestris、Bacillus aycloheptainicus、Bacillus alginalyticus、Bacillus azotoforians、Bacillus badius、、Bacillus pasteurii、Bacillus aminovrans、Bacillus marinus、Bacillus pusteurii、Bacillus sphaericus、Bacillus benzoevorans、Bacillus fastidiosus、Bacillus nagunoensisなどを含む菌群である。【００９６】
好気性グラム陰性菌では、Comamonas属など非病原性有胞子好気性グラム陰性菌の性質を持つ菌群。具体的には、実施例１で使用するComamonas denitrificans(MK-003)がある。【００９７】
好気性の好熱性菌では、Brevibacillus属、Thermobacillus属、Geobacillus属、好酸性高熱菌のAlicyclobacillus属やSulfobacillus属、Ureibacillus属、Anoxybacillus属などがあり、詳しくはBrevibacillus brevis、Bacillus stearothermophilus, Bacillus coagulans, Bacillus flavothermus, Bacillus kaustophilus, Bacillus pallidus, Bacillus schlegelii, Bacillus smithii, Bacillus thermocatenulatus,thermocloacae, Bacillus thermodenitrificans, Bacillus thermoglucosidasius, Bacillus thermoleovo -rans, Bacillus thermoruber, Bacillus tusciaeなどを含む菌群である。【００９８】
本発明の実施形態では、特に好気性のグラム陽性菌群とグラム陰性菌の共生菌群であるＭＲＥ共生菌が使用された。この菌はＰＣＴ／ＪＰ２０１０／００１１２０に記載された共生菌群であり、すなわち、このＭＲＥ共生菌を構成する５種類の菌群は、好気性グラム陽性菌であるバシラスｓｐ．（Ｂａｃｉｌｌｕｓ  ｓｐ．）（受託番号ＦＥＲＭ  ＢＰ−１１２０９、識別番号ＭＫ−００５）、リシニバシラス  フシフォルミス（Ｌｙｓｉｎｉｂａｃｉｌｌｕｓ  ｆｕｓｉｆｏｒｍｉｓ）（受託番号ＦＥＲＭ  ＢＰ−１１２０６、識別番号ＭＫ−００１）、バシラス  ソノレンシス（Ｂａｃｉｌｌｕｓ  ｓｏｎｏｒｅｎｓｉｓ）（識別番号ＭＫ−００４）、リシニバシラスｓｐ．（Ｌｙｓｉｎｉｂａｃｉｌｌｕｓ  ｓｐ．）（受託番号ＦＥＲＭ  ＢＰ−１１２０７、識別番号ＭＫ−００２）、及び好気性グラム陰性菌であるコマモナスｓｐ．（Ｃｏｍａｍｏｎａｓ  ｓｐ．）（受託番号ＦＥＲＭ  ＢＰ−１１２０８、識別番号ＭＫ−００３）から成るものである。【００９９】
このＭＲＥ共生菌群自身は安定な共生体であることも特徴である。例えば、通常のバチルス菌の培養では高密度・高栄養の条件で糸状化して始めて安定集団を作るのに対して、７,０００個体／ｍＬ以下という培養が不安定な低い菌密度でも安定して培養できることも判明した。この安定性は、高密度でも確認することができた。【０１００】
このＭＲＥ共生菌群から得られた母細胞分解酵素群の分解能力は、蛋白質分解能・脂肪酸の分解能・多糖類の分解能において通常のバチルス菌を含む菌体の分解能力を越えるばかりか、コラーゲン組織などの高次の蛋白構造・既存の菌などが分解しない油脂類・通常分解が難しいきのこ類などの高次の多糖構造や糖蛋白も分解できる能力があることが明らかとなった。【０１０１】
さらに、６０℃〜７５℃という高い温度領域において多様で活発な分解作用を持つことも確認された。発明者は、この高い温度領域で、Brevibacillus brevisなど従来の好熱菌では分解できないもの、たとえば「おから」・芋カス・竹・木材なども分解できる能力を持つことも発見した。この能力は、消化酵素よりも高い温度領域で活性化する特徴を持つリソゾーム相同酵素の性質に由来するものである。【０１０２】
ここで本発明の酵素（ＭＲＥ）の性質について述べてみると、ＭＲＥにより分解できることが確認された有機物の例としては一般的な消化酵素で消化される蛋白質・でんぷんやグリコーゲンなどの炭水化物・食用油脂のほかに次のようなものがある。【０１０３】
変性酵素や構造蛋白などの高分子ペプチドの低分子化・アミノ酸全種の分解・コラーゲンＩ〜Ｖの低分子ペプチド化と分解・糖タンパクなどの分解。また、トリグリセロイド・ジグリセロイド・モノグリセロイド・飽和脂肪酸・不飽和脂肪酸・中鎖脂肪酸・短鎖脂肪酸・コレステリルエステルなど脂肪や脂肪酸の分解。さらに、デルマッタン硫酸・ヘパラン硫酸・ケラタン硫酸やコンドロイチン硫酸などのムコ多糖類の分解。スフィンゴ脂質・スフィンゴミエリン・ガングリオシド・セラミドなどのスフィンゴ脂質の分解。フコース・マンノース・シアル酸・Ｎアセチルグルコサミン・グルコースなどを成分とする糖鎖および糖タンパク質の分解がある。これらの性質はリソゾーム酵素群へ受け継がれている。【０１０４】
特に、一般に分解が困難とされているもので、従来の酵母菌・バチルス菌・麹菌や各種好熱菌の栄養細胞からの分泌酵素では分解が困難とされるか極めて長い時間を要するものでＭＲＥにより分解できることが確認された有機物の例としては次のようなものがある。【０１０５】
蛋白質分解能としては、（１）繊維状のコラーゲンなどの高次の蛋白構造、（２）基底膜などのＩＶ型コラーゲンの高次の蛋白構造、（３）植物や動物の細胞組織の結合を分離してバラバラにする能力(細胞外マットリックスの分解作用)、（４）骨・鱗・貝ガラ・タマゴの殻・動物の歯などコラーゲンとアパタイトなどの燐酸カルシュームが結合した組織などがある。【０１０６】
また、多糖類の分解能としては、（１）甲殻類のキチンキトサンの分解、（２）おから・芋カス・竹・木材などのセルロースやリグニンを含む繊維組織の分解、（３）きのこ類の高次の多糖構造や糖蛋白の分解などである。【０１０７】
脂質の分解能としては、既存の菌などが分解しない多様なタイプの脂肪酸を分解する。また、低分子物質の分解能力として、（１）アンモンニア・硫化水素・アミン類などの悪臭成分の除去、（２）お茶の葉のカテキンの分解、（３）カプサイシンの分解、（４）染色汚泥の色素の分解がある。ただし、本発明の有機物には、石油などの鉱物油や鉱物油を原料とした生産物は含まない。なお、上述した有機物は、本願発明に係る方法によって分解される有機物の一例を示したものに過ぎず、本願発明に係る方法の分解対象となる有機物はこれらに限定されるものではないことは言うまでもない。【０１０８】
また、本発明の技術的な効果は、すでに記述したように、（ａ）通常の栄養細胞による発酵よりも分解速度が速く、分解物がより低分子化され、通常分解されにくいものも容易に分解できること、（ｂ）低分子分解物が栄養細胞に吸収されずに残存すること、（ｃ）空気の流入する高温域（６０℃〜７０℃）で使用されると優れた分解能力と超乾燥性をもつこと、の３点である。【０１０９】
これを応用した本発明の新たな有機物分解方法は、２つの産業上有用な効果をもたらす。一つは有用物の生成であり、他の一つは不要物の分解である。【０１１０】
まず、有用物の例として、
Ａ１．「きのこ」の分解物．Ａ２．「魚の鱗」の分解物、Ａ３．「おから」の分解物、Ａ４．「竹・間伐材・稲藁」の分解物などがある。【０１１１】
また、不要物の分解物として、
Ｂ１．豚・鳥・人間・牛など「動物の糞」の分解、Ｂ２．除草剤を含む「残留農薬」の分解、Ｂ３．「廃油脂」の分解、Ｂ４．「生ごみ」のなど分解、Ｂ５．「染色汚泥」分解などがある。サンゴを荒らす「オニヒトデ」や汚れた海に出没する「エチゼンくらげ」の分解も可能である。【０１１２】
これらの分解手段として用いられるのが「ＭＲＥ曝気槽」や「加熱撹拌乾式分解装置」などがある。「廃油脂」の分解には別にリーストラップ装置が使用される。【０１１３】
「きのこ」の分解物、例えばアガリクス茸・霊芝・冬虫夏草・白樺茸などをＭＲＥ分解液の曝気槽で分解、糖鎖の低分子分解物を得る。この「きのこ」分解物の溶液は、ＭＲＥ原液に比べて自然免疫活性(ＩＦＮα、βの分泌やマクロファージ活性やＮＫ活性など)が２０％ほど高くなる。【０１１４】
「魚の鱗」分解物は、コラーゲン・オリゴペプチドを含有する優れた自然免疫活性化美容液原料となる。特に、大型鯛の鱗コラーゲンがトリペプチドやオリゴペプチド領域まで分解されて皮膚から直接吸収可能にすることができる。トリペプチドやオリゴペプチドは皮膚や粘膜からアミノ酸の５倍以上の吸収力があることはよく知られている。しかも、母細胞融解酵素による菌体分解低分子物質が含有されているため自然免疫細胞系のランゲルハンス細胞やケラチノサイトおよび真皮より深部のマクロファージや繊維芽細胞が活性化され、メラニンの貪食やコラーゲン組織の再構築を促進するため、シミ・ソバカス・くすみ・小ジワやニキビ跡などの肌トラブルも正常化させ、肌の若返りに貢献する。ここで注目すべきことは、通常の菌によってできた低分子分解物は菌母体に吸収されてしまい残存することができないが、本発明の分解方法ではトリペプチドやオリゴペプチドのような有用低分子成分が残存可能だということである。【０１１５】
「おから」の分解物は安全な除草剤として機能することを発見した。「おから」は含水率約７３％と水分が多く従来の方法で分解処理するのが困難であった。ＭＲＥ分解液を使用して加熱撹拌乾式分解装置（空気が流入できる乾式容器に加熱用放熱板を付けて攪拌棒で分解対象物を攪拌し続ける装置）で分解すると約１９時間で水分５％以下の超乾燥状態の分解残渣ができる。この繊維質主体の「おから分解残渣」を田んぼなどに撒くと作物の生長を阻害する雑草が育たなくなり、人間および生体系に安全な除草剤ができる。特に稲の生育を阻害する雑草を選択的に成長阻害する性質がある。【０１１６】
「竹・間伐材・稲藁」の分解物は、効率的なエタノール原料となる。竹・間伐材・稲藁などを１ｃｍ〜１５ｃｍに切断して、ＭＲＥ分解液を使用して加熱攪拌乾式分解装置（空気が流入できる乾式容器に加熱用放熱板を付けて攪拌棒で分解対象物を攪拌し続ける装置）で分解すると  約４８時間でセルローズ・ヘミセルローズ・リグニンを主な成分とするさらさらの粗い粉状または短い針状の分解物になる。この分解物は、直接発酵法・酸素分解法または超臨界流体法による糖や代替エネルギーのエタノールをつくるのに最適の原料となる。【０１１７】
「動物の糞」の分解は、菌体の場合と同じく糞に直接散布による消失も有効であるが、むしろ加熱攪拌乾式分解装置でＭＲＥ分解液を使用して分解すると短時間に処理が可能となる。【０１１８】
例えば、不消化な繊維質の多い牛糞では、通常の微生物では分解が困難であることが知られている。しかし、本発明のＭＲＥを使用して加熱攪拌乾式分解装置で牛糞を分解すると約１６時間で超乾燥状態のサラサラした粉末残渣にすることができる。この残渣は農業用としても代替燃料としてもエタノール生産用としても使用できる。【０１１９】
「廃油脂」の分解は、グリーストラップにＭＲＥ分解液を滴下して行われる。【０１２０】
「生ごみ」の分解は、菌体を使用した生ごみ処理機と比べて処理速度が速く、１５時間〜２０時間で、骨などの残存物を残さず含水率６．５％という超乾燥に近い残渣が得られるのが特徴で、もちろん生ごみ特有の悪臭も除去される。この残渣は園芸用や作物などの代替堆肥としても利用できるものである。【０１２１】
染色汚泥を含む「汚泥」の分解は、従来の嫌気性微生物を利用した汚水処理で得られた汚泥は有害でかつ悪臭のひどいものであった。また、染色汚泥は、特に後処理の方法がなく困っていた。この染色汚泥を含む「汚泥」を加熱攪拌乾式分解装置でＭＲＥ分解液を使用し分解すると、２１時間で超乾燥状態（約４.５％）の残渣を得る。この残渣では悪臭が消え土の香りがするもので、そのまま燃料としてもまた農業用の堆肥の代替物としても利用できる。【０１２２】
また、本発明の自然免疫複合リガンドはオリゴ領域の極性をもたない水溶性低分子であるので、皮膚から容易に浸透する性質を持ち、真皮まで浸透する美容液として用いることができる。そして、本発明の自然免疫複合リガンドを顔や体に塗布することによって、自然免疫活性美容液として使用することができる。【０１２３】
自然免疫活性複合リガンドは、表皮にあってはマクロファージの仲間であるランゲルハンス細胞を活性化して、紫外線などによって破壊されたケラチノサイトから流出したメラニンの貪食を促進して、シミを消失させ、日焼けを回復し、肌のくすみを改善して肌に透明感を与える効果がある。【０１２４】
また、真皮にあっては、マクロファージを活性化させて繊維芽細胞と共同して架橋することにより老化したコラーゲンを再構築（リモデリング）することで、小皺を消失させ、大きな皺も改善することができる。さらに、マクロファージの活性化は、ニキビ跡などを改善することもできる。実際には、白にきびや脂肪の塊も縮小することが観察されている。【０１２５】
本発明の複合リガンドの炎症を抑える性質は、日焼け時の炎症やにきびやアトピー性皮膚炎の炎症抑制があることも確認された。【０１２６】
（実施例）
以下においては、本願発明に係る一実施形態を説明する。【０１２７】
［実施例１］（有機物分解のためのＭＲＥ分解液の製造）
ＭＲＥ共生菌群の培養は、好気性グラム陽性菌の一般的な培養方法で培養を行う。１．２ｍ３の培養曝気槽に１０００リットルの水と入れエアレーション（曝気）を行う。その培養曝気槽に魚粉３ｋｇ、米ぬか３ｋｇ、油カス１．６ｋｇ、肉汁３５０ｇを栄養物として与え、さらに硫酸マグネシュウムやシリカなどのミネラルを適量加える。さらに菌体を投入し、培養ＰＨ６．０〜６．８および培養温度２５℃〜３５℃の培養条件下で、かつ溶存酸素濃度０．５ｍｇ／Ｌ〜１．２ｍｇ／Ｌになるようにエアレーション（曝気）を加えながらＭＲＥ共生菌培養する。【０１２８】
菌の十分な増殖と安定化を待って、ＭＲＥ共生菌群の一切の栄養を絶って飢餓状態下に置き、さらに１５℃〜３５℃の条件下でエアレーションを加え続けると窒素成分の枯渇をトリガーにＭＲＥ共生菌群の内胞子化が始まる。培養液の透明度が一気に増すのを待ってエアレーション（酸素供給）を止めると、内胞子は一斉に沈殿を始め透明な上澄み液を得る。こうして得られた上澄み液をさらに０．２μｍのメンブレンで加圧ろ過し、母細胞融解酵素を含有したＭＲＥ分解液を得る。エアレーションを止めるタイミングは、また、位相差顕微鏡でスポア化が完了したことを確認した上で行うことができる。【０１２９】
［実施例２］（ＭＲＥ曝気槽による「鰯」の分解）
実施例１で得られたＭＲＥ分解液４５０ｍＬを１０Ｌの水で薄め鰯４５８ｇ（１２匹）をそのまま丸ごと分解温度２２℃〜２８℃、ＰＨ６．０〜７．０の条件下で分解した。攪拌目的と酸化還元酵素に必要な酸素を補給するためエアレーションで攪拌を行った。酸素要求は少量なのでＤＯ計によるチェックは行わなかった。同条件下で培養液とＭＲＥ分解液を比較した。【０１３０】
４日後、「鰯」は骨を含めて完全分解した。同じ「鰯」を加熱撹拌乾式分解装置で分解すると僅か３時間で分解し超乾燥状態にすることができる。【０１３１】
培養液では、骨が完全に分解されず３６ｇの沈殿残渣を得た。ＭＲＥ分解液では、完全に透明な分解液となりその沈殿残渣は６．２ｇでその９９％以上が灰分あった。その分解液の分析結果は、水分９９．８ｇ／１００ｇ（減圧加熱乾燥法）、たんぱく質０．１ｇ／１００ｇ未満（ケルダール法）、脂質０．１ｇ／１００ｇ未満（ソックスレー抽出法）、灰分０．１ｇ／１００ｇ（直接灰化法）、炭水化物０．１ｇ／１００ｇ未満（計算による）、エネルギー０ｋｃａｌ／１００ｇ（計算による）、ナトリウム２８．３ｇ／１００ｇ（原子吸光度法）、エイコサペンタエン酸およびドコサヘキサエン酸はガスクロマトグラフ法で検出されなかった。【０１３２】
［実施例３］（加熱撹拌乾式分解装置による「牛糞」分解）
糞は繊維分が多く低栄養なので従来の微生物を利用した分解方法では分解に困難があった。この牛糞を次のような加熱撹拌乾式分解装置により分解した。【０１３３】
加熱撹拌乾式分解装置は、６０Ｌの分解槽に、横軸の回転軸を設置し、その回転軸に４本２組の攪拌板を固定し、まんべんなく攪拌できるように攪拌版の傾きを調整する。さらに回転軸に固定した攪拌版が描く軌跡に沿って加熱版を形成し、加熱板を６０℃〜１６０℃で温度調整可能なヒーターを設置し、被加熱物が６０℃〜８０℃、好ましくは６４℃〜６８℃になるように当該ヒーターを調節する。回転軸は、モーター連結した減速装置を通じて毎分２〜５回転（好ましくは４回転）するよう調整する。分解槽の上部にエアーポンプによって空気を分化槽の上部から下方に吹き付ける噴霧ノズルを設ける。さらに、分解槽の上部にＭＲＥ分解液を均等に散布するノズルを設置した。【０１３４】
このように構成された加熱撹拌乾式分解装置の加熱板を適正温度に加熱し、攪拌板を毎分３〜４回転させ、分解対象の有機物（本実施例では牛糞）を投入する。さらに、ＭＲＥ分解液を最初に適正量噴霧ノズルから散布し分解工程を開始する。【０１３５】
この加熱撹拌乾式分解装置に「牛糞」５０ｋｇを投入し、流動床として分解速度の遅い「もみ殻」７ｋｇを投入し、分解対象物「牛糞」の表面温度を７０℃に保つように調整しつつ攪拌しながら、実施例１で得られたＭＲＥ分解液を５０倍に薄めて散布した。１６時間後、「牛糞」は、５ｋｇ（減少率９０％）に減少し含水率３．２％の超乾燥状態になった。「もみ殻」も原型を留めずサラサラの粉末状になっていた。【０１３６】
「牛糞」の残留物は、顕微鏡で観察すると「もみ殻」の分解物と同じく繊維質のものばかりであった。「もみ殻」もさらに分解を続けることが可能なことも確認された。
豚の糞や鶏糞も簡単に分解できよい堆肥として利用可能なことが分かった。【０１３７】
［実施例４−１］（「鯛の鱗（スカールコラーゲン）」のＭＲＥ曝気槽での分解と得られ分解物の有用性）
実施例１で得られたＭＲＥ分解液４５０ｍＬを１０Ｌの水で薄め、台湾産の大型鯛の鱗４２０ｇを粉砕せずに分解温度２５℃〜３２℃、ＰＨ５．８〜６．８の条件下で直接分解した。酸化還元酵素による酸素要求を満たすためエアレーションで攪拌を行った。鯛の鱗は、粉砕や酸による前処理を一切せずに原形のまま丸ごと水で希釈した酵素液に投入した。約６０日後、培養液では未分解残渣が９２ｇ残ったが、ＭＲＥ分解液では灰分残渣０．６ｇを残してほぼ完全に分解した。【０１３８】
この分解液のコラーゲン由来の分解ペプチドの分子量をＴＳＫｇｅｌ／Ｇ２５００ＰＷカラムを用いた排除クロマトグラフィーにより分子量分布を測定した。この分子量分布の測定結果のクロマトグラムを図１に示すが、その分子量分布を分子量標準品との比較データで示すと分子量１０，０００以上は微量、３０００〜１０，０００は１％、１０００〜３０００は微量、５００〜１０００は微量、５００以下は９９％であった。培養液分解では、有用な低分子分解物は菌の母細胞に消化吸収されて残存しなかった。【０１３９】
さらに、本実施例の鱗の分解液の遊離アミノ酸を分析した結果、アミノ酸の含有量は検出限界以下であった。このことは、この鱗分解液の低分子領域成分がオリゴペプチドで構成されていることを強く示唆している。オリゴペプチドは一般に、アミノ酸のような電荷と極性に強烈な個性を持たないため皮膚や粘膜から容易に吸収され、アミノ酸１２個の配列のものでも皮膚の真皮層に達し血流に混入することが知られている。【０１４０】
また、鱗コラーゲンペプチドには、グリシンが３分の１含まれ、コラーゲン特有のプロリンおよびヒドロキシプロリンが相当量含まれている。これらの成分がオリゴペプチドの形で真皮に達することが可能になるため、皺などの老化したコラーゲンの再構築（リモデリング）の重要な栄養材料になることは言うまでもない。このようにして得られた鱗分解液を０．０２μｍのフィルターで濾過したものを美容液として使用した結果、自然免疫活性化美容液として優れたものであった。【０１４１】
［実施例４−２］（鱗コラーゲン分解物の美容液への応用）
本実施例のＭＲＥ分解液には、特願２００９−６１９５６号記載の「自然免疫リガンド」が含まれている。この「自然免疫リガンド」は皮膚の表皮に存在する自然免疫細胞由来のランゲルハンス細胞とケラチノサイトを活性化する。ランゲルハンス細胞は骨髄由来のマクロファージの仲間の自然免疫細胞で、ケラチノサイトが破壊されて細胞外へ流出したメラニンを貪食して分解することが知られている。したがって、美容上好ましくないシミやソバカスを改善することができる。ケラチノサイトの活性化は、皮膚の新陳代謝を活発にすることになり、皮膚細胞を若返らせる。また、ケラチノサイトは毛髪の生育とも密接に関係しているため、この鱗分解物をつるつるのヤカン頭に塗布すると産毛がびっしりと生えてくるのが観察できる。【０１４２】
また、真皮に浸透した自然免疫リガンド成分は、真皮や皮膚毛細血管に存在するマクロファージを活性化する。そして、活性化したマクロファージは、繊維芽細胞と協同し、また鱗コラーゲンの分解成分を栄養物質として、老朽化したコラーゲン線維の再構築（リモデリング）が行われることになる。こうして老化し硬直化した真皮層のコラーゲンを作り直すことにより、真皮層の若返りが起こり、皺（特に小皺）やニキビ跡などの著しい改善が行われる。この改善は、レーザー光線やトレチノイン療法のように炎症による苦痛を伴わないのが特徴である。【０１４３】
このようにＭＲＥ分解液を利用した鱗分解物成分を美容液として使用した実施例を列挙すると、
（１）７５歳女性。野菜づくりの仕事をしていて、日焼けと肌荒れ、小じわに悩まされていた。１日１〜３ｍＬを使用。最初に美容液をつけた瞬間一時的に肌が白くなるのにびっくり、約１ヵ月で顔全体が白く小じわもなくなった。６ヵ月後の今では艶のあるきれいな普通の肌色になり感謝している。
（２）５８歳女性。子供の時アトピー性皮膚炎でステロイドを長期使用したことがあり、そのとき登山がきっかけでソバカスが顔中ビッシリとできる。毎朝２〜３ｍＬを美容液として使用。数か月でなんとなく顔色が良くなりソバカスが薄くなってきた。１年ほど経つとほとんど目立たなくなりお化粧で簡単にカバーできるようになった。
（３）７２歳女性。両頬に細かいソバカスかシミのようなものがびっしりとあった。毎朝３〜５ｍＬを塗布。１週間で顔がすっきりし、約半年で細かいソバカス状のようなものがほぼ消える。若干残ったがお化粧で隠れるようになった。
（４）４５歳女性。毎朝３ｍＬを美容液として使用。長年の肝斑状の両頬のシミが半年後に薄くなってきた。
（５）５０歳代女性。３ｍＬ程度を毎朝使用。約３か月で細かい小じわがすっかりなくなり、薄いシミも取れツルっとした色白の艶のある肌になった。
（６）６０歳代女性。２〜３ｍＬを毎朝使用する。３か月くらいで目じりの小じわがなくなり、１年位でおでこ、目とコメカミの間に白い小さな脂肪の塊が多数あったのがいつのまにか消えていた。
（７）２１歳男性、額や頬にひどい「噴火にきび」、１日朝３〜５ｍＬを塗布する。翌日から４日目にかけて炎症がかなり治まり、１週間で化膿が抑えられてきた。１ヵ月でにきび目立たなくなった。
（８）２３歳女性、ニキビ跡の赤みがシミになってきて、鏡を見る度に憂鬱になる毎日。この美容液を毎朝２〜３ｍＬを塗布。２日目で良くなるのを実感し、２週間目には、  しぶとかったニキビ跡が薄くなり、コンシーラを使わなくてもいい肌に。毛穴も小さくなってきた。
（９）１００人にこの美容液を使用してもらったところ、８２人が、肌の艶がよくなり、肌理が細かくなり、肌の透明感が増し、化粧の乗りが良くなった。【０１４４】
［実施例５］（ＭＲＥ曝気槽を使用したアガリクス・霊芝などのキノコ類の多糖体（高分子糖鎖）などの分解とその分解物の有用性）
アガリクス６０％と霊芝４０％を熱湯で６０分煎じ、そのエキスを取る。  実施例１のＭＲＥ分解液２００ｍＬに煎じたエキス４．８Ｌを加え、分解温度２５℃〜３２℃、ＰＨ５．８〜６．８の条件下、エアレーションを用いて攪拌しながら分解した。１０日ほどで液が完全に透明状態になり、エアレーションを止めると素早く沈殿が起こり１２ｇの沈殿残渣があった。上澄み液を分析した結果、多糖体（高分子糖鎖）は分子量６００〜２０００Ｄａ（単糖２〜１２個に相当）の低分子糖鎖に分解されていた。クエン酸などの酸は一切用いなかった。【０１４５】
このように得られた液を０．０２μｍのフィルターで濾過したものを自然免疫リガンド飲料として使用した場合、従来の自然免疫リガンド飲料（特願２００９−６１９５６号参照）よりも約２０％効果の高い自然免疫活性が得られた。なぜなら、マクロファージ活性が２３％高くなる結果がえられたからである。【０１４６】
［実施例６］（加熱撹拌乾式分解装置を使用した「おから」の分解とその分解物の有用性）
従来、水分が多く繊維質が多く貧栄養であるためバチルス菌や好熱菌を含む従来の微生物で分解が困難であった「おから」を加熱撹拌乾式分解装置で分解した。【０１４７】
加熱撹拌乾式分解装置に「おから」２８ｋｇを投入し、分解対象物の表面温度を６５℃〜７０℃の範囲に保つよう調節しつつ攪拌し、実施例１で得られたＭＲＥ分解液５８０ｍＬを３．５Ｌの水で薄めたものを分解対象物に散布した。繊維成分が多いので、「もみ殻」のような流動床は使用しなかった。含水量が７４％であった「おから」は、約２８時間で含水率３．２％の超乾燥状態になり残渣は６ｋｇとなった。残渣を顕微鏡で観察すると繊維質のものばかりであった。【０１４８】
また、この「おから分解残渣」を稲の田植えと同時に散布すると稲の生育を阻害する雑草が生えないこともわかっている。除草剤の散布を必要としないことがわかり、有害な除草剤に代わる無害な除草剤として稲以外にも使用できる。【０１４９】
［実施例７］（「竹・間伐材・稲藁」などの分解とその分解物の有用性）
加熱撹拌乾式分解装置を使用して、処理が問題となっている竹・間伐材・稲藁などを分解し、エタノール生産のための優れた原料を作ることができる。また、この竹等の分解生成物は、発酵させて堆肥としても利用することができる。【０１５０】
竹や稲藁や雑草は１ｃｍ程度にカット、間伐材は１０ｃｍ程度にカットして、竹、間伐材、稲藁の重量比率を１：１：１の割合で、加熱撹拌乾式分解装置に５２ｋｇ投入する。装置を起動した後、ＭＲＥ分解液を６倍に薄めた液を散布する。
約４８時間経つと、含水率３．８％の超乾燥状態の粉末状の残存物３．３ｋｇ（６．３％）を得る。【０１５１】
この残存物を分析すると、セルロース４３．１％、ヘミセルロース１２．６％、リグニン２５．２％であった。セルロースとヘミセルロースおよびリグニンは、微生物による発酵、酵素による分解または超臨界流体を利用して直接的または直接的にエタノール燃料へ転換することができる。このように本実施例の残存分解物は、糖やエタノール製造の優れた原料となる。または、この残渣はチップに固めて直接燃料として使用することもでき、あるいは、残渣を固めて建築材料としても利用できる。【０１５２】
［実施例８］  （ＭＲＥ分解液を直接使用した実施例）
（１）ＭＲＥ分解液を水で２０倍に薄め鶏糞に散布しシートを被せて分解した。鶏糞の悪臭は直ちに消失し、鶏糞の重量は３５％に減量した。また、完全に分解するために２０日要した。豚の糞についても同様であった。
（２）常温領域での分解：牛糞５ｋｇを野積みして、ＭＲＥ分解液を水で５倍に希釈してその５Ｌを牛糞に直接散布する。散布直後すぐに臭気が消え牛糞の体積が２０％程度減少した。１ヶ月でほぼ分解した。
（３）錦鯉の５ｍ３の生簀に、ＭＲＥ分解液５Ｌを散布した。生簀の壁に付着していた汚れが取れ、餌の残渣や糞が分解されフィルターが目詰まりしなくなった。生簀の錦鯉に活力が出て、食欲旺盛になった。【０１５３】
［実施例９］（食用油脂や脂肪酸の分解）
１ｍ×１ｍで深さ６０ｃｍのグリーストラップへ曝気装置を付けてエアレーションを行う。ＭＲＥ分解液を分解する油脂の性質と量に応じて、１日３０ｍＬ〜５０ｍＬを滴下することにより連続的に食用油脂や脂肪酸を分解できる。【０１５４】
［実施例１０］（加熱撹拌乾式分解装置を使用した生ごみの分解）
加熱撹拌乾式分解装置に「生ごみ」を入れて、ＭＲＥ分解液を１０倍に薄めて散布すると、悪臭が消失し、内容物で異なるが３時間〜２０時間で分解されさらさらの超乾燥状態の粉末残渣になる。この残渣を１年放置しても腐敗することはなく、しかも、貝殻・魚や動物の骨・かに殻・卵の殻・鳥の羽根・竹の子の皮なども分解される。さらに、環境問題で処理に困っているエチゼンクラゲ・オニヒトデも簡単に分解できる。【０１５５】
［実施例１１］（染色汚泥を含む「汚泥」の分解）
加熱撹拌乾式分解装置で、汚水の微生物処理の残渣である「汚泥」を分解した。特に嫌気性微生物で汚水処理した汚泥は悪臭がして後処理に困る存在であり、染色汚泥も含水量が多く従来技術では後処理が難しいものであった。【０１５６】
加熱撹拌乾式分解装置に「染色汚泥」４０ｋｇを投入し、流動床として「もみ殻」４ｋｇを追加投入した。分解対象物の表面温度を６５℃〜７０℃の範囲に保つよう調節しつつ攪拌を続け、実施例１で得られたＭＲＥ分解液２２０ｍＬを分解対象物に散布した。【０１５７】
「染色汚泥」は、約２１時間で含水率４．３％の乾燥状態になりもみ重量を除いた残渣は７．１２ｋｇ（分解率８２．２％）となった。染色汚泥の残渣を顕微鏡で観察すると残渣粒子がかなり細かくなっているのが観察された。染色汚泥の悪臭も消失し色素もかなり分解されている。【０１５８】
その他、本発明は、さまざまに変形可能であることは言うまでもなく、上述した一実施形態に限定されず、発明の要旨を変更しない範囲で種々変形可能である。
【図１】
2011096567.tif 000009
【図２】
2011096567.tif 000010
【図３】
2011096567.tif 000011
【図４】
2011096567.tif 000012
【図５】
2011096567.tif 000013
【図６】
2011096567.tif 000014
【図７】
2011096567.tif 000015
【図８】
2011096567.tif 000016
【図９】
2011096567.tif 000017
【図１０】
2011096567.tif 000018
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
有機物を分解する方法であって、
分解対象となる有機物を用意する工程と、
前記有機物に、有胞子好気性細菌の胞子形成に伴う細胞融解で生じる母細胞融解酵素群を適用する工程と
を有し、前記有胞子好気性細菌は、ＭＲＥ共生菌群である
ことを特徴とする、方法。
【請求項２】
（削除）
【請求項３】
（削除）
【請求項４】
請求項１記載の方法であって、この方法は、さらに、
前記有機物に、前記有胞子好気性細菌の胞子形成によって生成された胞子を適用する工程を有し、
前記胞子は、発芽および再胞子化することにより、母細胞融解酵素群を生成するものである
ことを特徴とする、方法。
【請求項５】
請求項４記載の方法において、
前記分解対象の有機物は、前記母細胞融解酵素群および／若しくは胞子を含有する分解溶液に浸漬され、当該溶液をエアレーションすることによって分解されるものである
ことを特徴とする、方法。
【請求項６】
請求項５記載の方法において、
前記分解対象の有機物は、霊芝、アガリクス茸、冬虫夏草、白樺茸、魚鱗から成る群から選択されるものであり、
これらの分解生成物は、自然免疫活性組成物として使用するためのものである
ことを特徴とする、方法。
【請求項７】
請求項６記載の方法において、
前記分解対象の有機物は、魚鱗であり、
この魚鱗の分解生成物は、自然免疫活性美容液として使用するためのものである
ことを特徴とする、方法。
【請求項８】
請求項４記載の方法において、
前記分解対象の有機物は、６０℃〜８０℃の条件下において空気存在下で攪拌され、且つ前記母細胞融解酵素群および／若しくは胞子を含有する分解溶液が散布されることによって分解されるものである
ことを特徴とする、方法。
【請求項９】
請求項８記載の方法において、この方法は、さらに、
籾殻、大鋸屑からなる群から選択されるリグニン高含有物を流動床として適用する工程を有するものである
ことを特徴とする、方法。
【請求項１０】
請求項８記載の方法において、この方法は、
分解槽であって、この分解槽は、横軸の回転軸を有し、当該回転軸に攪拌板が固定された１若しくはそれ以上の腕が設置され、前記攪拌版が描く軌跡に沿って加熱版を形成するように構成されるものである、前記分解槽と、
前記加熱板を６０℃〜１６０℃で温度調整可能なヒーターと、
前記分解槽の上部に設置され、前記母細胞融解酵素群および／若しくは胞子を含有する分解溶液を散布するノズルと
を有する装置を用いて行われるものである
ことを特徴とする、方法。
【請求項１１】
請求項８記載の方法において、
前記分解対象の有機物は、おからであり、
このおからの分解生成物は、除草剤として使用するためのものである
ことを特徴とする、方法。
【請求項１２】
請求項８記載の方法において、
前記分解対象の有機物は、少なくともリグニンとセルロースを含む材料であり、
この材料の分解生成物は、エタノール原料として使用するためのものである
ことを特徴とする、方法。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
有機物を分解する方法であって、
分解対象となる有機物を用意する工程と、
前記有機物に、有胞子好気性細菌の胞子形成に伴う細胞融解で生じる母細胞融解酵素群を適用する工程と
を有し、前記有胞子好気性細菌はＭＲＥ共生菌群である
ことを特徴とする、方法。
【請求項２】
請求項１記載の方法であって、この方法は、さらに、
前記有機物に、前記有胞子好気性細菌の胞子形成によって生成された胞子を適用する工程を有し、
前記胞子は、発芽および再胞子化することにより、母細胞融解酵素群を生成するものである
ことを特徴とする、方法。
【請求項３】
請求項２記載の方法において、
前記分解対象の有機物は、前記母細胞融解酵素群および／若しくは胞子を含有する分解溶液に浸漬され、当該溶液をエアレーションすることによって分解されるものである
ことを特徴とする、方法。
【請求項４】
請求項３記載の方法において、
前記分解対象の有機物は、霊芝、アガリクス茸、冬虫夏草、白樺茸、魚鱗から成る群から選択されるものであり、
これらの分解生成物は、自然免疫活性組成物として使用するためのものである
ことを特徴とする、方法。
【請求項５】
請求項４記載の方法において、
前記分解対象の有機物は、魚鱗であり、
この魚鱗の分解生成物は、自然免疫活性美容液として使用するためのものである
ことを特徴とする、方法。
【請求項６】
請求項２記載の方法において、
前記分解対象の有機物は、６０℃〜８０℃の条件下において空気存在下で攪拌され、且つ前記母細胞融解酵素群および／若しくは胞子を含有する分解溶液が散布されることによって分解されるものである
ことを特徴とする、方法。
【請求項７】
請求項６記載の方法において、この方法は、さらに、
籾殻、大鋸屑からなる群から選択されるリグニン高含有物を流動床として適用する工程を有するものである
ことを特徴とする、方法。
【請求項８】
請求項６記載の方法において、この方法は、
分解槽であって、この分解槽は、横軸の回転軸を有し、当該回転軸に攪拌板が固定された１若しくはそれ以上の腕が設置され、前記攪拌版が描く軌跡に沿って加熱版を形成するように構成されるものである、前記分解槽と、
前記加熱板を６０℃〜１６０℃で温度調整可能なヒーターと、
前記分解槽の上部に設置され、前記母細胞融解酵素群および／若しくは胞子を含有する分解溶液を散布するノズルと
を有する装置を用いて行われるものである
ことを特徴とする、方法。
【請求項９】
請求項６記載の方法において、
前記分解対象の有機物は、おからであり、
このおからの分解生成物は、除草剤として使用するためのものである
ことを特徴とする、方法。
【請求項１０】
請求項６記載の方法において、
前記分解対象の有機物は、少なくともリグニンとセルロースを含む材料であり、
この材料の分解生成物は、エタノール原料として使用するためのものである
ことを特徴とする、方法。
【国際調査報告】
2011096567.tif 000019
2011096567.tif 000020
2011096567.tif 000021
2011096567.tif 000022
2011096567.tif 000023
2011096567.tif 000024
2011096567.tif 000025
2011096567.tif 000026